(57)【特許請求の範囲】
【請求項１】
光源と、
前記光源が実装面に実装された光源基板と、
前記光源基板の形状に対応した凹部を光源取付部として有するとともに、前記光源取付部から連続して形成された曲面である滑らかな面部を有し、前記光源取付部に前記光源基板が取り付けられた状態で、前記実装面と前記面部とが滑らかに連続する面を形成している光源取付体と、
前記実装面と前記面部との予め特定された領域を覆って前記実装面と前記面部とに当接しているとともに、前記光源を露出させて前記光源取付体に敷設された反射部と
を備えた光源ユニット。
【請求項２】
前記反射部は、
前記光源取付部に取り付けられた前記光源の位置に対応して貫通孔が形成された請求項１に記載の光源ユニット。
【請求項３】
前記光源は、
前記貫通孔から露出している請求項２に記載の光源ユニット。
【請求項４】
前記面部または前記実装面のいずれかに、前記領域を特定するガイドが設けられた請求項１から請求項３のいずれか１項に記載の光源ユニット。
【請求項５】
前記反射部は、
前記面部または前記実装面の予め特定された前記領域に密着して敷設された請求項１から請求項４のいずれか１項に記載の光源ユニット。
【請求項６】
前記反射部は、
シート状、ジェル状、液状のいずれかの反射部材が前記面部または前記実装面の予め特定された前記領域に敷設された請求項１から請求項５のいずれか１項に記載の光源ユニット。
【請求項７】
前記面部は、
前記光源から光が出射する向きに滑らかに張り出した凸状の曲面が形成された請求項１から請求項６のいずれか１項に記載の光源ユニット。
【請求項８】
前記面部は、
前記光源から光が出射する向きと反対の向きに滑らかに窪んだ凹状の曲面が形成された請求項１から請求項６のいずれか１項に記載の光源ユニット。
【請求項９】
請求項１から請求項８のいずれか１項に記載の光源ユニットと、
前記光源を覆うとともに、前記光源取付体に取り付けられる光透過性のカバーとを備えた照明ランプ。
【請求項１０】
請求項９に記載の照明ランプと、
前記照明ランプが装着されるとともに、前記照明ランプに給電して前記照明ランプを点灯させる照明器具とを備えた照明装置。
【発明の詳細な説明】
【技術分野】
【０００１】
本発明は、照明ランプ用の光源ユニット、光源ユニットを用いた照明ランプ、及び照明ランプを用いた照明装置に関するものである。
【背景技術】
【０００２】
近年、環境配慮への社会的な要請を受け、従来用いられてきた白熱電球や蛍光灯などの光源と比較して長寿命かつ低消費電力である発光ダイオード（以下、「ＬＥＤ」と称す）を用いた照明ランプ及び照明装置の普及が加速している。
【０００３】
ＬＥＤはチップやパッケージ単体の発光量が小さいことから、照明ランプには複数のＬＥＤが用いられて構成される。
ＬＥＤは点光源で、出射向きに強く光を放出する指向性の強い配光分布を有しており、照明ランプの光源として用いるにあたって、強い光源像による違和感（粒状感）や眩しさ（グレア感）を抑制させたり、配光分布（配光角）を拡大させたりすることが求められる。
【０００４】
特許文献１には、放熱支持体と、放熱支持体の支持溝内に挿入支持してありかつその長さ方向にＬＥＤを複数配置してある基板と、内部の背部側に収納室を有する円筒形の管体とを備えたＬＥＤランプが開示されている。このＬＥＤランプは、放熱支持体が収納室内に挿入配置され、管体の内周面から対向位置関係に突出している板状の保持部と内周面によって挟持され、ＬＥＤは収納室から管体の背部側とは反対側である照射側に向けて照射することができるものである。このＬＥＤランプによれば、収納室が管体の背部側に設けられているので、管体の表面にＬＥＤの影がドット状に表れにくくなる。
【０００５】
また、特許文献２には、光源と、光源から光を入射させる入光部と、光源から入射した光を外部に放出する照射領域とを有し、光源から放出される光を導光する導光体とを備えた照明装置が開示されている。この照明装置では、照射領域の少なくとも一部が、入光部に入射する光の方向と反対側を向いている。照射領域は筒状であり、照射領域の少なくとも一部は、入光部に入射する光の方向と反対側を向き、入光部から筒状の照射領域に導光する照射領域の厚さは他の前記照射領域より厚く形成されている。この照明装置によれば、ＬＥＤのような点状で指向性の強い光源を用いても、点光源像を見せずに広配光から狭配光まで照射光分布を容易に制御することができる。
【先行技術文献】
【特許文献】
【０００６】
【特許文献１】特開２０１２−１６４６６４号公報
【特許文献２】特開２０１２−２５３０４３号公報
【発明の概要】
【発明が解決しようとする課題】
【０００７】
しかしながら、特許文献１に開示されたＬＥＤランプにおいて、ＬＥＤから出射した光は、拡散材が配合されたプラスチック製の管体によって拡散、散乱、反射などの作用を受けその一部が管体の内側に戻されるが、管体の内側に戻された一部の光の取扱いについては開示がなく、光の利用効率及びＬＥＤランプの効率の点で改善の余地がある。
【０００８】
また、特許文献２に開示された照明装置は、ＬＥＤの点光源像を見せずに広配光から狭配光まで照射光分布を容易に制御することができるとしているが、複雑な形状を有し、かつ量産性と汎用性に乏しい導光体を用いる必要がある点で改善の余地がある。また、環状の導光体の内側に照射された一部の光の取扱いについては開示がなく、光の利用効率及び照明装置の効率の点で改善の余地がある。
【０００９】
本発明は、例えば、上記のような課題を解決するためになされたものであり、簡単な構成かつ組み立て手順によって、高い光の利用効率と高品位な光の照射を実現することができる照明ランプ用の光源ユニット、照明ランプ及び照明装置を提供することを目的とする。
【課題を解決するための手段】
【００１０】
本発明に係る光源ユニットは、光源と、光源が配置される光源取付部と光源取付部から連続して形成された滑らかな面部とを有する光源取付体と、面部の予め特定された領域を覆うとともに、光源を露出させて光源取付体に敷設された反射部とを備えたことを特徴とする。
【発明の効果】
【００１１】
本発明に係る光源ユニットは、光源と、光源が配置される光源取付部と光源取付部から連続して形成された滑らかな面部とを有する光源取付体と、面部の予め特定された領域を覆うとともに、光源を露出させて光源取付体に敷設された反射部とを備えたので、簡単な構成且つ組み立て手順によって、高い光の利用効率と高品位な光の照射を実現することができる光源ユニットを提供することができる。
【図面の簡単な説明】
【００１２】
【図１】実施の形態１に係る光源ユニットを示す斜視図である。
【図２】実施の形態１に係る光源ユニットを示す断面図であり、図１におけるＡ−Ａ断面図である。
【図３】実施の形態１に係る光源ユニットを示す分解斜視図である。
【図４】実施の形態１に係る照明ランプを概略的に示す斜視図である。
【図５】実施の形態１に係る照明ランプを概略的に示す断面図であり、図４におけるＢ−Ｂ断面図である。
【図６】実施の形態１に係る照明ランプの作用効果を示す図である。
【図７】実施の形態１に係る光源ユニットの第１変形例を示す分解斜視図である。
【図８】実施の形態１に係る光源ユニットの第２変形例を示す分解斜視図である。
【図９】実施の形態１に係る光源ユニットの第３変形例を示す分解斜視図である。
【図１０】実施の形態２に係る光源ユニットを示す斜視図である。
【図１１】実施の形態２に係る光源ユニットを示す斜視図である。
【図１２】実施の形態３に係る光源ユニットを示す斜視図である。
【図１３】実施の形態３に係る光源ユニットを示す断面図であり、図１２におけるＣ−Ｃ断面図である。
【図１４】実施の形態４に係る光源ユニットを示す斜視図である。
【図１５】実施の形態４に係る光源ユニットを示す断面図であり、図１４におけるＤ−Ｄ断面図である。
【図１６】実施の形態４に係る照明ランプを概略的に示す斜視図である。
【図１７】実施の形態４に係る照明ランプを概略的に示す断面図であり、図１６におけるＥ−Ｅ断面図である。
【図１８】実施の形態５に係る照明ランプの断面図である。
【図１９】実施の形態６に係る照明ランプの断面図である。
【図２０】実施の形態７に係る光源ユニットを示す斜視図である。
【図２１】実施の形態７に係る光源ユニットを示す断面図であり、図２０におけるＦ−Ｆ断面図である。
【図２２】実施の形態７に係る照明ランプを概略的に示す斜視図である。
【図２３】実施の形態７に係る照明ランプを概略的に示す断面図であり、図２２におけるＧ−Ｇ断面図である。
【図２４】実施の形態８に係る照明装置８００の斜視図である。
【発明を実施するための形態】
【００１３】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品などの配置や向きなどを限定するものではない。
【００１４】
実施の形態１．
図１は、本実施の形態に係る光源ユニット２００を示す斜視図である。
図２は、本実施の形態に係る光源ユニット２００を示す断面図であり、図１におけるＡ−Ａ断面図である。
図３は、本実施の形態に係る光源ユニット２００の分解斜視図である。
図４は、本実施の形態に係る照明ランプ１００を概略的に示す斜視図である。
図５は、本実施の形態に係る照明ランプ１００を概略的に示す断面図であり、図４におけるＢ−Ｂ断面図である。
【００１５】
図１〜図５を参照して、本実施の形態に係る光源ユニット２００、及び、光源ユニット２００を用いた照明ランプ１００の構成について説明する。
まず、図１〜３を用いて、光源ユニット２００の構成について説明する。
【００１６】
図１〜３に示すように、光源ユニット２００は、光源基板２０、光源取付体２３、反射部２５を備える。
【００１７】
光源基板２０は、実装面２２０と接着面２２１を有する基板２２と、基板２２の実装面２２０に実装される複数のＬＥＤ２１とを備える。
基板２２は、ＬＥＤ２１の温度を抑制するため、熱伝導性の高い、アルミニウム、銅、合金などの金属材料を用いた基板、あるいはセラミック基板、メタルコア基板、メタルコアセラミック基板などを使用するのが好ましい。なお、ＬＥＤ２１の温度が規定値以下であれば、ガラスエポキシ基板や紙フェノール基板を使用してもよい。
また、図１に示すように、基板２２は長手方向に長く伸びた長方形形状である。なお、基板２２は、長形であれば長方形でなくてもよく、楕円形、多角形などでもよい。また、基板２２は、必ずしも長形でなくてもよく、長形でない正方形、多角形、円形、楕円形などであっても本実施の形態を適用することができる。
【００１８】
基板２２の実装面２２０には、複数のＬＥＤ２１が基板２２の短手方向中央に、長手方向に沿って１列に並べて実装される。本実施の形態では、光源としてＬＥＤを用いる場合について説明するが、光源はその他の種類でもよい。光源のその他の種類の例については後述する。
【００１９】
そして、図３に示すように、本実施の形態では、基板２２の実装面２２０に、反射部２５の部材貫通孔２５２の形状に対応したガイド表示２２０１（ガイドの一例）が形成されている。ガイド表示２２０１は、反射部２５の部材貫通孔２５２の形状に合わせて、基板２２を構成するシルク、レジスト、配線パターンを用いて形成することできる。また、ガイド表示２２０１は、印字、レーザ照射などによって形成されてもよい。ガイド表示２２０１の作用については後述する。
【００２０】
また、基板２２は、ＬＥＤ２１に点灯電流を供給するための配線パターン（図示しない）を有している。配線パターン（図示しない）は、少なくとも基板２２の実装面２２０に形成される。配線パターン（図示しない）はガイド表示２２０１として用いることができる。なお、光源取付体２３との電気絶縁が保たれていれば、配線パターン（図示しない）は基板２２の接着面２２１に形成されてもよく、あるいは基板２２の内部に形成されてもよい。
【００２１】
光源取付体２３は、長方形形状の光源基板２０が取り付けられるように長尺状に形成される。光源取付体２３は、例えば、押出成形によって製造される。光源取付体２３は、ＬＥＤ２１から発せられる熱を放熱するヒートシンクの役割も有しており、例えば、アルミニウムなどの金属で形成されている。光源取付体２３が金属で形成されることで、光源取付体２３の剛性を向上させることができ、これによって、照明ランプ１００の形状安定性も向上させることができる。本実施の形態では、光源取付体２３は、押出成型によって長尺状に形成されているが、プレス成型などの方法で形成されてもよい。
【００２２】
光源取付体２３は、取付体上面部２３０１、光源取付部２３０、ねじ固定部２３４、円弧部２３６、保持突設部２３７を備える。
取付体上面部２３０１は、光源取付体２３の上側の面（連続面）を形成する面部の例である。取付体上面部２３０１と記載した場合は、光源取付体２３の上側の面（連続面）を指す場合があるものとする。取付体上面部２３０１は、長手方向に長く伸びた長方形形状である。なお、取付体上面部２３０１は、長形であれば長方形でなくてもよく、楕円形、多角形などでもよい。また、取付体上面部２３０１は、必ずしも長形でなくてもよく、長形でない正方形、多角形、円形、楕円形などであってもよい。
【００２３】
光源取付部２３０は、光源取付体２３の光の照射方向側（以下、上側とする）に設けられる。光源取付部２３０は、取付体上面部２３０１に設けられ、光源であるＬＥＤ２１が取り付けられる。
光源取付部２３０は、光源基板２０の形状に対応して、取付体上面部２３０１の短手方向中央に長手方向に沿って形成された凹部２３０３であって、取付体上面部２３０１に開口を形成する凹部２３０３を備える。
光源取付部２３０は、凹部２３０３の底面である載置面２３１と、載置面２３１の短手方向の両側に形成された側面２３２とを備える。また、光源取付部２３０は、載置面２３１の短手方向の両端部（すなわち、載置面２３１と側面２３２との境界）に、長手方向に沿って形成された溝部２３３を備える。
【００２４】
光源取付部２３０には、光源基板２０が取り付けられる。光源基板２０は、接着面２２１が光源取付部２３０の載置面２３１と当接するように、光源取付部２３０に取り付けられる。光源基板２０は、接着面２２１と光源取付部２３０の載置面２３１との間に充填された接着部材２６によって、光源取付部２３０に接着固定される。なお、溝部２３３には、余分な接着部材２６が捕捉され、実装面２２０側にはみ出さないようにしている。また、溝部２３３に余分な接着部材２６が捕捉されることで、乾燥後の接着部材２６は、光源取付体２３から剥離しにくい形状で固化する。このようにして、接着部材２６により光源基板２０と光源取付部２３０とが接着される。
【００２５】
光源基板２０は、光源取付部２３０の凹部２３０３の内部に取り付けられた状態で、凹部２３０３の開口からＬＥＤ２１を露出させるとともに、実装面２２０と取付体上面部２３０１（連続面）とが、滑らかに連続する面の一部を形成する。
図２に示すように、光源基板２０は、光源取付部２３０の凹部２３０３の内部に取り付けられた状態で、基板２２の実装面２２０と、光源取付部２３０の側面２３２の上端部とが略同一平面上となる。すなわち、凹部２３０３の深さ寸法と基板２２の厚み寸法とが略等しくなるように構成されている。換言すると、載置面２３１を基準として、側面２３２の上端部と基板２２の実装面２２０とは、略同じ高さとなるように構成されている。
【００２６】
ねじ固定部２３４は、光源取付部２３０の下側（光の照射方向の反対側）に突き出すように設けられる。ねじ固定部２３４には、ねじ孔２３５が長手方向に沿って形成される。ねじ孔２３５には、後述する照明ランプ１００の口金を固定する際に用いられるねじ７（図４参照）が挿入される。ねじ孔２３５は、ねじ固定部２３４の長手方向両端面の一方の端面から他方の端面まで貫通する孔である。なお、必ずしも貫通していなくてもよく、光源取付体２３に長手方向両端面のそれぞれからねじ７がねじ込まれる際に、必要十分な長さ分だけ、二次加工などによってねじ孔２３５が形成されていてもよい。
【００２７】
円弧部２３６は、ねじ固定部２３４の下端部の短手方向両側から、それぞれ外側に向かって円弧状に延設される。円弧部２３６は、長手方向に沿って形成される。円弧部２３６は、下側の面である円弧面２３６１を有する（図２参照）。円弧面２３６１は、後述する照明ランプ１００のカバー３００の内周面３１と接着部材４を介して当接する（図５参照）。
【００２８】
保持突設部２３７は、光源取付部２３０の短手方向両側のそれぞれから、外側に向かって突き出した板部である。すなわち、保持突設部２３７は、光源取付部２３０の短手方向両側のそれぞれから、外側に向かって板状に延設されている。光源取付部２３０は、それぞれ長手方向に沿って形成される。
保持突設部２３７において、上面部を保持上面部２３８、下面部を保持下面部２３８１とする。
上述したように、光源ユニット２００は、取付体上面部２３０１の保持上面部２３８と光源基板２０の実装面２２０とが、滑らかに連続する面、例えば同一平面の少なくとも一部となるように構成される。
【００２９】
以上のように、光源取付体２３の取付体上面部２３０１には、短手方向の中央部に長手方向に長く伸びた凹み部分である光源取付部２３０が形成される。光源取付部２３０の短手方向両側には保持突設部２３７が設けられる。そして、光源取付部２３０と保持突設部２３７とは、長手方向に沿って形成される。
保持突設部２３７において、外側の端部の縁部を長辺縁部２３９とする。また、保持突設部２３７において、長手方向端部の縁部を短辺縁部２４０とする。
【００３０】
本実施の形態では、反射部２５は、シート状であり、光源取付体２３の取付体上面部２３０１を覆うように光源取付体２３に取り付けられる（敷設されている）。
反射部２５は、取付体上面部２３０１（保持上面部２３８）と、実装面２２０の少なくとも一部とに密着する反射部材である。以下において、反射部２５が密着する取付体上面部２３０１（保持上面部２３８）と実装面２２０の少なくとも一部とを、反射部密着部２３０４と呼ぶ場合がある。
【００３１】
反射部２５の短手方向の幅は、光源取付体２３の取付体上面部２３０１の短手方向の幅と略等しい。
反射部２５の長手方向の長さは、光源取付体２３の取付体上面部２３０１の長手方向の長さよりも若干短く、光源基板２０の長手方向の長さと略等しい。
【００３２】
反射部２５は、反射部密着部２３０４と当接する部材接着面２５１と、その裏側の反射面２５０と、光源基板２０に実装されているＬＥＤ２１を露出させる部材貫通孔２５２とを有する。すなわち、部材貫通孔２５２は、光源基板２０が光源取付部２３０に取り付けられた状態で、ＬＥＤ２１が露出するように反射部２５に設けられている。本実施の形態では、反射部２５と反射部密着部２３０４とが、反射部２５の部材接着面２５１に予め設けられた粘着テープ（図示しない）により接着される。ここで、反射部２５は、基板２２の実装面２２０に形成されたガイド表示２２０１に対して部材貫通孔２５２の周縁部を略一致させるように接着される。反射部密着部２３０４に対する反射部２５の位置が特定されるため、反射部２５が光源取付体２３の取付体上面部からはみ出すことがない。このようにして、反射部２５は、反射部密着部２３０４の予め特定した領域を覆うことができる。部材貫通孔２５２は貫通孔の例である。反射部２５の長辺に沿った縁部を部材長辺縁部２５３とする。
図１に示すように、本実施の形態では、１つの部材貫通孔２５２が３つのＬＥＤ２１を露出するように構成されている。なお、ＬＥＤ２１毎に１つの部材貫通孔２５２を形成してもよいし、２つのＬＥＤ２１毎に１つの部材貫通孔２５２を形成してもよい。
【００３３】
反射部２５の、少なくとも反射面２５０は高い反射率を有する。反射部２５は、例えば樹脂材料に高反射材料を混合してシート状に成形される。あるいは、反射部２５は、樹脂材料をシート状に成形し、その表面に高反射材料を塗布されて形成されてもよい。この場合、高反射材料を塗布される領域を反射面２５０のみに限定してもよい。
【００３４】
反射部２５は、取付体上面部２３０１を覆うように反射部密着部２３０４に貼付することができる材料、例えばジェル状であってもよい。また、反射部２５は、取付体上面部２３０１を覆うように反射部密着部２３０４に塗布することができる材料、例えば液状であってもよい。そして、反射部２５は、ジェル状または液状の材料を反射部密着部２３０４に貼付または塗布した後に乾燥させて形成される材料であってもよい。ジェル状または液状の材料は流動性を有するため、予め特定された、取付体上面部２３０１を覆うように反射部密着部２３０４に形成される反射部２５の領域を、治具などを用いて区画した上で、貼付または塗布される。この場合、反射部２５の領域は、ＬＥＤ２１が覆われないように区画される。
【００３５】
次に、図４，５を用いて、照明ランプ１００の構成について説明する。
図４，５に示すように、照明ランプ１００は、光源ユニット２００と、光源ユニット２００を内部に収納するカバー３００と、アース口金６と、給電口金５とを備える。
【００３６】
カバー３００は、管状部材の例である。本実施の形態では、カバー３００は、断面が略円形で長尺状の略円筒形であり、内部に光源ユニット２００が収納される。カバー３００は、光透過性及び光拡散性を有する。カバー３００は、例えば、ポリカーボネート（ＰＣ）、アクリルなどの樹脂材料を用い、押出成形によって製造される。カバー３００は、光透過性及び光拡散性を有していれば、その他の樹脂材料を用いて形成されてもよい。なお、照明ランプの要求仕様によっては必ずしも光拡散性を有しなくてもよい。
【００３７】
図５に示すように、カバー３００は、外周面３０、内周面３１を有する。また、カバー３００は、内周面３１から内側に向かって突き出した一対の保持突部３２を有する。
一対の保持突部３２は、カバーの短手方向の断面視において、最大径部Ｌ１よりも下側に設けられる。
保持突部３２は、上側の面である突部上面部３２１、下側の面である突部下面部３２２、内側に向いている面（先端の端面）である突部側面部３２０を有する。
【００３８】
光源ユニット２００は、カバー３００の内部であって、一対の保持突部３２の突部下面部３２２よりも下側に挿入される。
このとき、保持突部３２の突部下面部３２２と、光源ユニット２００の反射部２５の反射面２５０が当接する。換言すると、保持突部３２の突部下面部３２２と、光源取付体２３の保持突設部２３７の保持上面部２３８とが、反射部２５を介して当接する。すなわち、反射部２５の部材長辺縁部２５３側は、保持突部３２の突部下面部３２２と、光源取付体２３の保持突設部２３７の保持上面部２３８とによって挟持される。保持突部３２は、光透過性及び光拡散性を有しているので、反射部２５に反射した光を透過させることができる。また、光源取付体２３の円弧面２３６１と、カバー３００の内周面３１とが、接着部材４を介して当接する。すなわち、光源取付体２３は、接着部材４によってカバー３００の内周面３１に接着固定される。
【００３９】
図５に示すように、光源ユニット２００の断面形状は、カバー３００の内部形状において保持突部３２から下側部分の複数の部分に当接する形状である。したがって、光源ユニット２００は、カバー３００の内部の下側部分に収納された場合、突部下面部３２２と、保持突部３２より下側の内周面３１とにより係止される。
【００４０】
ここで、カバー３００の内部空間において保持突部３２から上側部分の空間を照射側空間８とする。また、カバー３００の内部空間において保持突部３２から下側部分の空間を器具側空間９とする。すなわち、光源ユニット２００は、カバー３００内部の器具側空間９に挿入され、配置される。
【００４１】
給電口金５は、後述する照明器具本体８１１の給電ソケット８１３に取り付けられて、照明器具８１０に対して照明ランプ１００を機械的に保持することができる。給電口金５は、光源ユニット２００に電力を供給する口金である。
給電口金５は、底壁部５００及び周壁部５０１から構成された給電口金筐体５０、底壁部５００に配置された給電端子５１を備える。
【００４２】
アース口金６は、後述する照明器具本体８１１のアースソケット８１２に取り付けられて、照明器具８１０に対して照明ランプ１００を機械的に保持することができる。アース口金６は、アースソケット８１２に取り付けられて、光源ユニット２００と照明器具本体８１１とを電気的に接続することができる。なお、アース口金６は、照明ランプ１００を機械的に保持するだけで、光源ユニット２００または照明器具本体８１１と電気的に接続されない構成あってもよい。
アース口金６は、底壁部６００及び周壁部６０１から構成されたアース口金筐体６０、底壁部６００に配置されたアース端子６１を備える。また、底壁部６００には、アース口金６を光源ユニット２００に固定するためのねじ７を通すねじ孔６０２が設けられる。なお、図示はしないが、給電口金５にもアース口金６と同様に、給電口金５を光源ユニット２００に固定するためのねじ７を通すねじ孔５０２が設けられる。
【００４３】
本実施の形態では、口金の形状がＪＥＬ８０１に基づく直管ランプについて説明したが、例えば、口金の形状がＪＥＬ８０２に基づく直管ランプでも、本実施の形態を適用することができる。また、その他の形状の口金であっても本実施の形態を適用することができる。
【００４４】
図６は、本実施の形態に係る照明ランプ１００の作用効果を示す図である。図６を用いて、本実施の形態に係る照明ランプ１００の作用効果について説明する。
【００４５】
図６に示す照明ランプ１００のカバー３００は、上述したように光拡散性を有するものである。ＬＥＤ２１から出射した光は、カバー３００の内部で散乱したり、カバー３００の内周面３１またはカバー３００の外周面３０で反射したりする。これにより、ＬＥＤ２１から出射した光の一部は、カバー３００内部の照射側空間８に戻される。ここで、照射側空間８は、カバー３００と光源ユニット２００とにより覆われたカバー３００の内部空間であり、光源ユニット２００の上側の空間である。なお、カバー３００の内部空間のうち、光源ユニット２００のユニット上面（照射側の面（上側の面））より下側の空間、すなわち、光源ユニット２００が配置されている空間を器具側空間９とする。
【００４６】
保持突設部２３７の保持上面部２３８と基板２２の実装面２２０と（反射部密着部２３０４）に貼合された反射部２５は、カバー３００から照射側空間８に戻された光を、再びカバー３００に向けて反射させる機能を有する。
【００４７】
図６に示す実線矢印は、カバー３００の内周面３１のＯ点を起点として、カバー３００から照射側空間８に戻される光の代表経路、反射部２５から照射側空間８に戻される光の代表経路を表している。
【００４８】
本実施の形態に係る光源ユニット２００は、光源取付体２３の保持上面部２３８と、基板２２の実装面２２０との高さが揃うように形成されて組立てられている。また、保持上面部２３８と実装面とは、滑らかに連続する面、例えば、平面の一部を形成するように構成されている。よって、反射部２５は、高さが揃えられた光源取付体２３の保持上面部２３８と基板２２の実装面２２０とを跨ぎ、広い面積にわたって貼合することができる。
このような光源ユニット２００の構造により、光源ユニット２００のユニット上面（照射側の面（上側の面））には、面積が広く連続した滑らかな反射部２５の反射面２５０が形成される。
なお、本実施の形態では、主に、反射部２５の反射面２５０が平面状である場合について説明したが、滑らかな連続する曲面を形成するように構成してもよい。
【００４９】
カバー３００の内周面３１におけるＯ点から照射側空間８に戻された光は、反射部２５上のＲ１点、Ｒ２点、Ｒ３点に到達する。
図１及び図６に示すように、反射部２５上のＲ１点は、部材貫通孔２５２の縁部近傍にある。
反射部２５上のＲ２点は、保持上面部２３８と光源取付部２３０との境界近傍にある。
反射部２５上のＲ３点は、部材長辺縁部２５３近傍にある。
なお、Ｒ３点は保持突部３２の突部下面部３２２の下側に配置されるが、上述したようにカバー３００の材質は光透過性を有しているので、保持突部３２はＯ点からの光を透過させＲ３点まで到達させる。
【００５０】
例えば、保持上面部２３８と光源取付部２３０との境界近傍にあるＲ２点では、反射部２５の下側の保持突設部２３７と光源基板２０の実装面２２０とが滑らかに連続していないと、反射面２５０に不規則な凸凹が生じてしまい、上方からの光を再び上方に反射させることができなくなる恐れがある。
しかし、上述したように光源ユニット２００では、反射部２５が滑らかな反射面２５０を形成するように構成されているので、点Ｒ２のような位置であっても、Ｏ点からの光を確実に上方に向かって反射させることができる。
【００５１】
このように構成された光源ユニット２００によれば、カバー３００の内周面３１から照射側空間８に戻される光は、効率よく、均一に反射させることができる。光を反射する反射面２５０は、反射率が高く、面積が広い方が、より効率よく光を反射させることができる。そして、反射させる反射面２５０は、連続した滑らかな面である方が、より均一に光を反射させることができる。
【００５２】
また、図６に示すように、Ｏ点から、反射部２５上におけるＲ１点に到達した光は、Ｒ１点で反射し、再びカバー３００の内周面３１のＡ１点に到達する。また、Ｏ点から、反射部２５上におけるＲ２点に到達した光は、Ｒ２点で反射し、再びカバー３００の内周面３１のＡ２点に到達する。また、Ｏ点から、反射部２５上におけるＲ３点に到達した光は、Ｒ３点で反射し、再びカバー３００の内周面３１のＡ３点に到達する。
このとき、両側のＡ１点を結ぶ範囲Ｅ０、両側のＡ２点を結ぶ範囲Ｅ１、両側のＡ３点を結ぶ範囲Ｅ２は、Ｏ点を中心としてできるだけ左右対称の範囲であることが望ましい。左右対称であればあるほど、均一に反射していることを意味するからである。
【００５３】
以上のように、本実施の形態に係る照明ランプ１００は、次のような特徴を有する。
カバー３００は、光透過性を有する樹脂材料によって形成されている。カバー３００の内周面３１には、光源ユニット２を保持するための一対の保持突部３２が形成されている。そして、光源ユニット２００は、一対の保持突部３２によってカバー３００の器具側空間９に保持されている。
反射部２５は、高さが揃えられた光源取付体２３の保持上面部２３８と基板２２の実装面２２０とを跨ぎ、広い面積にわたって貼合されており、反射部２５の部材長辺縁部２５３（長手方向の縁部）は、光源取付体２３の長辺縁部２３９（長手方向の縁部）近傍まで及んでいる。
また、反射部２５の部材長辺縁部２５３近傍は、カバー３００の内周面３１に形成された保持突部３２の突部下面部３２２と対向（当接）している。
【００５４】
このように、照明ランプ１００では、反射部２５の部材長辺縁部２５３が保持突部３２の突部下面部３２２により押さえられているので、反射部２５の部材長辺縁部２５３付近が捲れたり、反射部２５が剥がれたりすることを防止することができる。すなわち、照明ランプ１００は、長期に渡って継続的に高い性能と高い品質を確保することができる。
【００５５】
なお、本実施の形態では、光源の例としてＬＥＤを用いて説明したが、光源はＬＥＤでなくても構わない。例えば、光源として有機ＥＬ（有機エレクトロルミネッセンス）を用いてもよい。その他にも、蛍光灯、白熱灯、ミニハロゲンランプなどでも、光源取付部の周囲に滑らかに延設された取付体上面部２３０１（面部）を形成するものであれば本実施の形態を適用することができる。
【００５６】
なお、本実施の形態では、ランプの形状として直管形ランプについて説明したが、直管形ランプでなくても構わない。例えば、電球形ランプ、ＨＩＤ形ランプ、環状形ランプであっても、本実施の形態を適用することができる。
【００５７】
ここで、本実施の形態の第１変形例について説明する。
図７は、本実施の形態に係る光源ユニット２００の第１変形例を示す分解斜視図である。
図７では、点線に示すように、光源基板２０の実装面２２０に、ガイドとなるガイド表示２２０２（印刷表示ともいう）を設ける例を示している。
【００５８】
ガイド表示２２０２は、実装面２２０の短手方向の中央部分に、長手方向に延設される。
また、反射部２５は、長手方向両端部のそれぞれの短手方向中央部を結ぶ線（線２５１１）上において、縁部となる箇所にＶ字状の切欠き部を設ける。例えば、反射部２５の線２５１１上に位置する長手方向両端部切欠き部２５０１を設けるとともに、部材貫通孔２５２の周縁部に切欠き部２５０２を設ける。
【００５９】
反射部２５を光源基板２０が配置された光源取付体２３に取り付ける場合は、反射部２５に設けられたＶ字状の切欠き部２５０１，２５０２と、光源基板２０のガイド表示２２０１とが重なるようにシート状の反射部２５を取付体上面部２３０１（反射部密着部２３０４）に貼合する。
【００６０】
次に、本実施の形態の第２変形例について説明する。
図８は、本実施の形態に係る光源ユニット２００の第２変形例を示す分解斜視図である。
図８では、光源基板２０の外形をガイド表示として用いる例を示している。
【００６１】
反射部２５には、光源基板２０の長手方向両端部の短手方向端部と対応する位置に、Ｖ字状の切欠き部２５０３を設ける。つまり、反射部２５の長手方向両端部において、光源基板２０の長辺に対応する位置に、Ｖ字状の切欠き部２５０３を設ける。図８に示す例では、光源基板２０へのガイド表示（印刷表示）は不要となる。
Ｖ字状の切欠き部２５０３は、シート状の反射部２５の長手方向両端部に１箇所ずつでもよいし、または２箇所ずつ設けてもよい。
【００６２】
反射部２５を光源基板２０が配置された光源取付体２３に取り付ける場合は、反射部２５に設けられた切欠き部２５０３と、光源基板２０の長辺とが重なるようにシート状の反射部２５を取付体上面部２３０１に貼合する。
【００６３】
さらに、本実施の形態の第３変形例について説明する。
図９は、本実施の形態に係る光源ユニット２００の第３変形例を示す分解斜視図である。
図９では、光源取付体２３の保持上面部２３８に、ガイドのためのガイド溝２３５０を設ける例を示している。
【００６４】
ガイド溝２５３０は、保持上面部２３８に、長手方向に延設する。ガイド溝２５３０は、光源取付体２３を押出成形により形成する際に設けられる。
また、シート状の反射部２５の長手方向両端部において、ガイド溝２５３０に対応する位置に、Ｖ字状の切欠き部２５０４を設ける。図９に示す例では、光源基板２０へのガイド表示（印刷表示）は不要となる。
【００６５】
反射部２５を光源基板２０が配置された光源取付体２３に取り付ける場合は、反射部２５に設けられた切欠き部２５０４と、光源基板２０の保持上面部２３８に設けられたガイド溝２５３０とが重なるようにシート状の反射部２５を取付体上面部２３０１に貼合する。
【００６６】
なお、専用のガイド表示を用いずに、基板２２に設けられる、部品の実装および光源基板２０の搬送などの製造用塗の目的で形成される表示を用いて、取付体上面部２３０１に対する反射部２５の位置を特定する構成としてもよい。
さらに、反射部２５に設けられる部材貫通孔２５２の周縁部の形状や寸法を、基板２２に実装される複数のＬＥＤ２１の部品外形に対応させて、取付体上面部２３０１対する反射部２５の位置を特定する構成としてもよい。
【００６７】
なお、切欠き部、ガイド溝の形状は、Ｕ字状、コの字状でもよい。また、切欠き部に替えて突起部としてもよい。また、切欠き部に替えて反射部２５の端面に印刷表示してもよい。
【００６８】
実施の形態２．
本実施の形態では、主に、実施の形態１と異なる点について説明する。
実施の形態１では、部材貫通孔２５２から３つのＬＥＤ２１が露出するように形成された反射部２５について説明した。本実施の形態では、実施の形態１で説明した反射部２５とは異なる形状の反射部２５ａ，２５ｂについて説明する。
【００６９】
図１０は、本実施の形態に係る光源ユニット２００ａを示す斜視図である。
図１１は、本実施の形態に係る光源ユニット２００ｂを示す斜視図である。
図１０，１１において、実施の形態１で説明した機能と同様の機能を有する構成部には同一の符号を付し、その説明を省略する場合がある。
【００７０】
図１０に示すように、光源ユニット２００ａは、光源取付体２３の保持上面部２３８と基板２２の実装面２２０とに跨って貼付される反射部２５ａを備える。反射部２５ａには、部材貫通孔２５２ａが形成されている。部材貫通孔２５２ａの形状は、実施の形態１で説明した反射部２５と異なり、１つの部材貫通孔２５２ａから１つのＬＥＤ２１が露出するような形状である。
図１０に示すような反射部２５ａによれば、反射面２５０ａの面積を増大させることができるため、照明ランプ１００の光利用率さらに向上させるとともに、照明ランプ１００から出射される光をより均一にすることができる。
【００７１】
図１１に示すように、光源ユニット２００ｂは、光源取付体２３の保持上面部２３８と基板２２の実装面２２０とに跨って貼付される反射部２５ｂを備える。反射部２５ｂは、実施の形態１の反射部２５と異なり、長手方向に並んだ複数のＬＥＤ２１の短手方向両側に長手方向に沿って配置される２枚の反射部２５ｂから構成される。部材貫通孔２５２ｂは、この２枚の反射部２５ｂの間の領域であり、この領域からＬＥＤ２１が露出するように構成される。
図１１に示すような反射部２５ｂによれば、材料コスト及び製造コストを抑えることができるとともに、貼合作業時の位置合わせ難易度を軽減し、作業性を向上させることができる。
【００７２】
実施の形態３．
本実施の形態では、主に、実施の形態１，２と異なる点について説明する。
実施の形態１，２では、基板２２の実装面２２０に複数のＬＥＤ２１が長手方向に１列に並んで配置された光源基板２０について説明した。本実施の形態では、実施の形態１で説明したものとはＬＥＤ２１の配置が異なる光源基板２０ｃを用いた光源ユニット２００ｃについて説明する。
【００７３】
図１２は、本実施の形態に係る光源ユニット２００ｃを示す斜視図である。
図１３は、本実施の形態に係る光源ユニット２００ｃを示す断面図であり、図１２におけるＣ−Ｃ断面図である。
図１２，１３では、実施の形態１，２において説明した構成部と同様の機能を有する構成部には同一の符号を付し、その説明を省略する場合がある。
【００７４】
図１２に示すように、光源ユニット２００ｃは、光源基板２０ｃを備える。光源基板２０ｃにおいて、基板２２の実装面２２０には、長手方向に並べられたＬＥＤ２１が２列配置されている。換言すると、短手方向に２つのＬＥＤ２１が並べられたＬＥＤ２１の組が、長手方向に複数配置されている。
【００７５】
また、図１２，１３に示すように、光源ユニット２００ｃは、光源取付体２３の保持上面部２３８と基板２２の実装面２２０とに跨って貼付される反射部２５ｃを備える。反射部２５ｃには、部材貫通孔２５２ｃが形成されている。
【００７６】
部材貫通孔２５２ｃは、その孔からＬＥＤ２１の組が３つ、すなわち、６つのＬＥＤ２１が露出するような形状である。本実施の形態は、１つの部材貫通孔２５２ｃから３つのＬＥＤ２１の組が露出する構成であるが、例えば、部材貫通孔２５２をＬＥＤ２１の組２つ毎、すなわち４つのＬＥＤ２１毎に形成されていてもよいし、１つのＬＥＤ２１の組毎、すなわち２つのＬＥＤ２１毎に形成してもよい。
また、実施の形態２で説明したように、１つのＬＥＤ２１毎に１つの部材貫通孔２５２ａを形成してもよい（図１０参照）し、ＬＥＤ２１の短手方向の両側に２つの反射部２５ｂを配置してもよい（図１１参照）。
【００７７】
なお、図１２において、ＬＥＤ２１は２列に配置したが、ＬＥＤ２１を３列以上配置してもよい。また、ＬＥＤ２１を千鳥状、市松模様状などに配置してもよい。
ＬＥＤ２１の配置に応じて、部材貫通孔２５２を柔軟に形成することが好ましい。
【００７８】
実施の形態４．
本実施の形態では、主に、実施の形態１と異なる点について説明する。
本実施の形態では、実施の形態１で説明した光源取付体２３とは異なる形状の光源取付体２３ｄを備える光源ユニット２００ｄと、この光源ユニット２００ｄを備える照明ランプ１００ｄについて説明する。
【００７９】
図１４は、本実施の形態に係る光源ユニット２００ｄを示す斜視図である。
図１５は、本実施の形態に係る光源ユニット２００ｄを示す断面図であり、図１４におけるＤ−Ｄ断面図である。
図１６は、本実施の形態に係る照明ランプ１００ｄを概略的に示す斜視図である。
図１７は、本実施の形態に係る照明ランプ１００ｄを概略的に示す断面図であり、図１６におけるＥ−Ｅ断面図である。
図１４〜１７では、実施の形態１において説明した構成部と同様の機能を有する構成部には同一の符号を付し、その説明を省略する場合がある。
【００８０】
まず、図１４，１５を用いて、光源ユニット２００ｄの構成について説明する。
図１４，１５において、図１，２と異なる点は、保持突設部２３７ｄの形状とねじ固定部２３４ｄの形状が異なる光源取付体２３ｄを備える点である。その他の構成部については、実施の形態１で説明したものと同様であるため説明を省略する。
【００８１】
図１５に示すように、光源取付体２３ｄは、保持突設部２３７ｄの保持下面部２３８１から下方にＬ字型に突き出したＬ字突設部２３７１を備える。Ｌ字突設部２３７１と保持下面部２３８１とにより、外側が開口する係合溝部２３７３が形成される。Ｌ字突設部２３７１において、係合溝部２３７３の内面となる面を握持面２３７２とする。
【００８２】
また、光源取付体２３ｄは、筒形状のねじ固定部２３４ｄを備える。
ねじ固定部２３４ｄは、光源取付部２３０の下側の取付部下部２３０２から下方に突き出すように形成された一対の筒壁部２３４１と、一対の筒壁部２３４１の下端部から内側に円弧状に形成された一対の円弧部２３６ｄと、一対の円弧部２３６ｄの内側の端部から連続するねじ孔形成部２３５１とから構成される。ねじ孔形成部２３５１は、取付部下部２３０２と、一対の筒壁部２３４１と、一対の円弧部２３６ｄとにより形成された略筒形状の内部に、ねじ孔２３５を形成するように設けられる。すなわち、ねじ固定部２３４ｄは、２重の筒構造となる。
【００８３】
次に、図１６，１７を用いて、照明ランプ１００ｄの構成について説明する。
図１６，１７において、図３，４と異なる点は、保持突設部２３７ｄと保持突部３２との係合構造と、ねじ固定部２３４ｄの形状である。カバー３００の構成は、実施の形態１で説明したものと同様である。その他の構成部については、実施の形態１で説明したものと同様であるため説明を省略する。
【００８４】
図１６，１７に示すように、カバー３００の保持突部３２は、光源ユニット２００ｄの係合溝部２３７３と係合する。光源ユニット２００ｄは、係合溝部２３７３と保持突部３２とを係合させながら長手方向にスライドされ、カバー３００の内部に収納される。
また、図１７に示すように、円弧部２３６ｄの下側の面である円弧面２３６１は、実施の形態１で説明したものと同様に、接着部材４を介してカバーの内周面３１に固定される。
【００８５】
以上のように、本実施の形態に係る照明ランプ１００ｄによれば、光源ユニット２００ｄの係合溝部２３７３とカバー３００の保持突部３２とを確実に係合させることができるので、光源ユニット２００ｄをカバー３００内部にがたつくことなく確実に取り付けることができる。
【００８６】
また、ねじ固定部２３４ｄが２重筒構造となっているとともに、保持突設部２３７ａとＬ字突設部２３７１とで構成される係合溝部２３７３を備えているので、光源取付体２３ｄが撓みにくい構造となる。よって、光源取付体２３ｄ（ヒートシンク取付体）、光源ユニット２００ｄ（ライトユニット）、および照明ランプ１００ｄの剛性が向上し、長手方向により長い照明ランプ（直管形ランプ）を実現することができる。
【００８７】
実施の形態５．
本実施の形態では、主に、実施の形態１と異なる点について説明する。
実施の形態１では、反射部２５の反射面２５０は略平面状である場合について説明した。本実施の形態では、平面状ではなく、上側（照射側）に滑らかに張り出した凸状の曲面状である反射面２５０ｅを有する光源ユニット２００ｅ、及び光源ユニット２００ｅを備えた照明ランプ１００ｅについて説明する。
【００８８】
図１８は、本実施の形態に係る照明ランプ１００ｅの断面図である。
図１８において、実施の形態１で説明した機能と同様の機能を有する構成部には同一の符号を付し、その説明を省略する場合がある。
【００８９】
図１８に示すように、光源ユニット２００ｅは、取付体上面部２３０１ｅが上側（照射側）に向かって滑らかな凸状の曲面状を成すように構成される。すなわち、反射部２５ｅの反射面２５０ｅは、短手方向中央部がＬＥＤ２１から光が出射する向きに張り出した凸状の曲面の一部を形成するように、取付体上面部２３０１ｅが構成される。
取付体上面部２３０１ｅは、実施の形態１で説明したものと同様に、光源取付体２３ｅの保持上面部２３８ｅと、光源基板２０の実装面２２０とからなる。
【００９０】
図１８に示すように、光源基板２０の実装面２２０は略平面状である。このため、光源取付体２３ｅの一方の保持上面部２３８ｅは、一方の長辺縁部２３９から中央部に向かって滑らかな曲面を描いて上昇し、光源取付部２３０との境界部分（一方のＲ２点部分）では傾きが略０となるように保持突設部２３７が形成される。そして実装面２２０部分では傾きが０の平面状となり、他方の保持上面部２３８ｅでは、光源取付部２３０との境界部分（他方のＲ２点部分）において傾きが略０の状態から滑らかに下降する曲面を描くように他方の長辺縁部２３９まで形成される。両側の保持上面部２３８ｅの形状は、短手方向中心の中心軸に対して、左右対称であることが望ましい。
【００９１】
なお、光源基板２０の実装面２２０を、ＬＥＤ２１を実装する部分以外が保持上面部２３８ｅと連続する滑らかな凸状の曲面となるように形成してもよい。
【００９２】
また、本実施の形態で説明したように、直管形ランプの場合は、反射部密着部２３０４及び反射面２５０が短手方向中心の中心軸に対して左右対称であることが望ましい。しかし、例えば、円形の反射面の中心部に光源を備える電球形ランプの場合などには、反射部密着部２３０４及び反射面２５０は光源を中心として略点対称となる曲面を形成することが好ましい。
【００９３】
図１８に示すように、カバー３００の保持突部３２ｅは、取付体上面部２３０１ｅの形状に合わせて、中央部に向けてやや上向きに形成される。保持突部３２ｅの突部下面部３２２ｅと保持上面部２３８ｅとが、反射部２５ｅを介して確実に当接するように保持突部３２ｅを形成する。突部下面部３２２ｅと保持上面部２３８ｅとが確実に当接することにより、反射部２５ｅが捲れたり、剥がれたりすることを防止することができる。
【００９４】
以上のように、本実施の形態に係る照明ランプ１００ｅによれば、より広範囲に均一に配光することができる。
【００９５】
実施の形態６．
本実施の形態では、主に、実施の形態１，５と異なる点について説明する。
本実施の形態では、実施の形態１，５とは異なり、平面状あるいは上側（照射側）に滑らかに張り出した凸状の曲面状ではなく、下側（照射側と反対側）に滑らかに窪んだ凹状の曲面状である反射面２５０ｆを有する光源ユニット２００ｆ、及び光源ユニット２００ｆを備えた照明ランプ１００ｆについて説明する。
【００９６】
図１９は、本実施の形態に係る照明ランプ１００ｆの断面図である。
図１９において、実施の形態１で説明した機能と同様の機能を有する構成部には同一の符号を付し、その説明を省略する場合がある。
【００９７】
図１９に示すように、光源ユニット２００ｆは、取付体上面部２３０１ｆが下側に向かって滑らかな凹状の曲面状を成すように構成される。すなわち、反射部２５ｆの反射面２５０ｆは、短手方向中央部がＬＥＤ２１から光が出射する向きと反対の向きに窪んだ凹状の曲面の一部を形成するように、取付体上面部２３０１ｆが構成される。
取付体上面部２３０１ｆは、実施の形態１で説明したものと同様に、光源取付体２３ｆの保持上面部２３８ｆと、光源基板２０の実装面２２０とからなる。
【００９８】
図１９に示すように、光源基板２０の実装面２２０は略平面状である。このため、光源取付体２３ｆの一方の保持上面部２３８ｆは、一方の長辺縁部２３９から中央部に向かって滑らかな曲面を描いて下降し、光源取付部２３０との境界部分（一方のＲ２点部分）では傾きが略０となるように保持突設部２３７が形成される。そして実装面２２０部分では傾きが０の平面状となり、他方の保持上面部２３８ｆでは、光源取付部２３０との境界部分（他方のＲ２点部分）において傾きが略０の状態から滑らかに上昇する曲面を描くように他方の長辺縁部２３９まで形成される。両側の保持上面部２３８ｆの形状は、短手方向中心の中心軸に対して、左右対称であることが望ましい。
【００９９】
なお、光源基板２０の実装面２２０を、ＬＥＤ２１を実装する部分以外が保持上面部２３８ｆと連続する滑らかな凹状の曲面となるように形成してもよい。
【０１００】
また、実施の形態５と同様に、例えば、円形の反射面の中心部に光源を備える電球形ランプの場合などには、反射部密着部２３０４及び反射面２５０は光源を中心として略点対称となる曲面を形成することが好ましい。
【０１０１】
図１９に示すように、カバー３００の保持突部３２ｆは、取付体上面部２３０１ｆの形状に合わせて、中央部に向けてやや下向きに形成される。保持突部３２ｆの突部下面部３２２ｆと保持上面部２３８ｆとが、反射部２５ｆを介して確実に当接するように保持突部３２ｆを形成する。突部下面部３２２ｆと保持上面部２３８ｆとが確実に当接することにより、反射部２５ｆが捲れたり、剥がれたりすることを防止することができる。
【０１０２】
以上のように、本実施の形態に係る照明ランプ１００ｆによれば、光の照射範囲を狭い範囲に限定することができる。すなわち、集光することができる。
【０１０３】
実施の形態７．
本実施の形態では、主に、実施の形態１と異なる点について説明する。
実施の形態１では、光源取付体２３に光源基板２０を取り付ける態様の光源ユニット２００について説明した。本実施の形態では、ＬＥＤ２１を基板２２ではなく、直接光源取付体２３ｇに実装した態様の光源ユニット２００ｇ、及び光源ユニット２００ｇを備えた照明ランプ１００ｇについて説明する。
【０１０４】
図２０は、本実施の形態に係る光源ユニット２００ｇを示す斜視図である。
図２１は、本実施の形態に係る光源ユニット２００ｇを示す断面図であり、図２０におけるＦ−Ｆ断面図である。
図２２は、本実施の形態に係る照明ランプ１００ｇを概略的に示す斜視図である。
図２３は、本実施の形態に係る照明ランプ１００ｇを概略的に示す断面図であり、図２２におけるＧ−Ｇ断面図である。
図２０〜２３では、実施の形態１において説明した構成部と同様の機能を有する構成部には同一の符号を付し、その説明を省略する場合がある。
【０１０５】
図２０，２１に示すように、光源ユニット２００ｇの光源取付体２３ｇには、実施の形態１で説明した光源取付部２３０はなく、ＬＥＤ２１は光源取付体２３ｇの取付体上面部２３０１ｇに直接取り付けられている。光源取付体２３ｇは、ＬＥＤ２１に点灯電流を供給するための配線パターン（図示しない）を有している。そして、光源取付体２３ｇには、必要に応じて、配線パターン（図示しない）との電気絶縁を保つために絶縁部材（図示しない）が敷設されてもよい。
図２１に示すように、光源取付体２３ｇは、短手方向中央部分に長手方向に沿ってＬＥＤ２１を取り付ける光源取付部２３０ｇを備える。ＬＥＤ２１の配置は、実施の形態１〜６において説明したように、長手方向に１列、２列、３列などでもよく、また千鳥状、市松模様状に配置してもよい。
【０１０６】
本実施の形態に係る光源ユニット２００ｇによれば、反射部２５の部材接着面２５１と当接する取付体上面部２３０１ｇは１つの部品である光源取付体２３ｇの上面である。したがって、取付体上面部２３０１ｇには、凸凹や隙間などがない。よって、反射部２５の反射面２５０は、より滑らかな平面となる。
また、取付体上面部２３０１ｇに凹部２３０３（図１参照）を設ける必要がないため、光源ユニット２００ｇは撓みにくい構成となる。
【０１０７】
その他の構成については、実施の形態１〜６で説明したものと同様である。
【０１０８】
以上のように、本実施の形態に係る照明ランプ１００ｇによれば、部品点数及び加工作業を低減することができ、製造コストを抑えることができる。また、反射部２５の反射面２５０をより滑らかにすることができ、より均一に光を反射することができる。また、光源ユニット２００ｇが撓みにくくなり、剛性が向上する。
【０１０９】
実施の形態８．
本実施の形態では、実施の形態１〜７で説明した照明ランプ１００，１００ａ〜１００ｇ（以下、総称して照明ランプ１００とする）を用いた照明装置８００について説明する。
図２４は、本実施の形態に係る照明装置８００の斜視図である。
【０１１０】
図２４に示すように、照明装置８００は、実施の形態１〜７に係る直管の形状をなしている照明ランプ１００と、この照明ランプ１００が取り付けられる照明器具８１０とを備えている。
照明器具８１０は、長手方向に延在した照明器具本体８１１と、照明器具本体８１１の長手方向の両端部に配置されたアースソケット８１２及び給電ソケット８１３とを備えている。
【０１１１】
アースソケット８１２と給電ソケット８１３とは、照明ランプ１００を機械的に保持することができる。そして、照明ランプ１００は、給電口金５の給電端子５１が給電ソケット８１３の端子（図示しない）と接続され、また、アース口金６のアース端子６１がアースソケット８１２の端子（図示しない）と接続されることで、照明器具本体８１１と電気的に接続される。なお、アースソケット８１２は、照明ランプ１００を機械的に保持するだけで、照明ランプ１００と電気的に接続されない構成でも構わない。
【０１１２】
この照明装置８００は、長尺状の照明器具８１０と直管の形状をなしている照明ランプ１００とを備えており、照明器具本体８１１が、照明ランプ１００を室内に向けて部屋の天井または壁面などの取付部に取り付けられ、照明ランプ１００が点灯することによって室内空間に光を照射するものである。
【０１１３】
照明器具本体８１１は、点灯装置８１４（電源）を内部に収納し、Ｖ字ばねまたは継手などの取付器具（図示しない）を有する筐体である。照明器具８１０は取付器具によって天井または壁面に取り付けられる。また、点灯装置８１４はスイッチ（図示しない）などを有して筐体に収納されている。点灯装置８１４はスイッチがＯＮの状態では外部電源から電力を給電ソケット８１３へ供給し、スイッチがＯＦＦの状態では給電ソケット８１３への電力の供給を停止する。つまり、照明装置８００は、給電ソケット８１３を介して照明ランプ１００に電力の供給を行うことができる。
【０１１４】
点灯装置８１４を筐体に収納する場合において、点灯装置８１４の動作熱を効率よく放散させるために、照明器具本体８１１と筐体とは、金属などの高い熱伝導性を有する金属など材料を用いて形成される。なお、点灯装置８１４は筐体に収納されない構成でもよい。
【０１１５】
本実施の形態では、直管形ランプを取り付ける照明器具８１０及び照明装置８００について説明した。しかし、照明器具及び照明ランプの形状は、取り付けるランプの形状、照明装置の目的及び用途、取り付ける環境などにより、適宜変更することができる。
【０１１６】
上述した実施の形態１〜８では、取付体上面部、反射部の反射面の形状の例として、平面状、凸状の曲面状、凹状の曲面状について説明した。このような形状の他にも、滑らかな曲面を成す形状であれば、波形状、ドーム状、山状などでも構わない。取付体上面部、反射部の反射面の形状が、連続した取付体上面部（連続面）あるいは反射面のいずれの領域においても、連続した微分係数を有する形状であればどのような形状でもよい。
【０１１７】
また、反射部の形成方法として、主に、シート状あるいはジェル状の反射部材を光源取付体の取付体上面部（反射部密着部）に貼付するものとして説明した。しかし、反射部を構成する材料を取付体上面部（反射部密着部）に塗布することにより、反射部を形成してもよい。すなわち、反射部を構成する材料は、塗布することが可能な液状の性質を有し、塗布後に乾燥させることにより反射部が形成されるものでもよい。
【０１１８】
以上のように、実施の形態１〜８によれば、追加的なコストをほとんど要さない簡単な構成かつ組み立て手順によって、高い光の利用効率と高品位な光の照射を実現することができる照明ランプ用の光源ユニット、照明ランプ及び照明装置を提供することができる。
【０１１９】
以上、本発明の実施の形態について説明したが、これらの実施の形態の２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【０１２０】
４  接着部材、５  給電口金、６  アース口金、７  ねじ、８  照射側空間、９  器具側空間、２０  光源基板、２１  ＬＥＤ、２２  基板、２３  光源取付体、２５  反射部、２６  接着部材、３０  外周面、３１  内周面、３２  保持突部、５０  給電口金筐体、５１  給電端子、６０  アース口金筐体、６１  アース端子、１００  照明ランプ、２００  光源ユニット、２２０  実装面、２２１  接着面、２３０  光源取付部、２３１  載置面、２３２  側面、２３３  溝部、２３４  ねじ固定部、２３５  ねじ孔、２３６  円弧部、２３７  保持突設部、２３８  保持上面部、２３９  長辺縁部、２４０  短辺縁部、２５０  反射面、２５１  部材接着面、２５２  部材貫通孔、２５３  部材長辺縁部、３００  カバー、３２０  突部側面部、３２１  突部上面部、３２２  突部下面部、５００  底壁部、５０１  周壁部、５０２  ねじ孔、６００  底壁部、６０１  周壁部、６０２  ねじ孔、８００  照明装置、８１０  照明器具、８１１  照明器具本体、８１２  アースソケット、８１３  給電ソケット、８１４  点灯装置、２２０１  ガイド表示、２３０１  取付体上面部、２３０２  取付部下部、２３０３  凹部、２３０４  反射部密着部、２３４１  筒壁部、２３５０  ガイド溝、２３５１  ねじ孔形成部、２３６１  円弧面、２３７１  Ｌ字突設部、２３７２  握持面、２３７３  係合溝部、２３８１  保持下面部、２５０１，２５０２，２５０３，２５０４  切欠き部、２５１１  線。
【図１】
0006525535.tif 000002
【図２】
0006525535.tif 000003
【図３】
0006525535.tif 000004
【図４】
0006525535.tif 000005
【図５】
0006525535.tif 000006
【図６】
0006525535.tif 000007
【図７】
0006525535.tif 000008
【図８】
0006525535.tif 000009
【図９】
0006525535.tif 000010
【図１０】
0006525535.tif 000011
【図１１】
0006525535.tif 000012
【図１２】
0006525535.tif 000013
【図１３】
0006525535.tif 000014
【図１４】
0006525535.tif 000015
【図１５】
0006525535.tif 000016
【図１６】
0006525535.tif 000017
【図１７】
0006525535.tif 000018
【図１８】
0006525535.tif 000019
【図１９】
0006525535.tif 000020
【図２０】
0006525535.tif 000021
【図２１】
0006525535.tif 000022
【図２２】
0006525535.tif 000023
【図２３】
0006525535.tif 000024
【図２４】
0006525535.tif 000025